【手続補正書】
【提出日】平成28年3月28日(2016.3.28)
【手続補正１】
【補正対象書類名】明細書
【補正対象項目名】００２１
【補正方法】変更
【補正の内容】
【００２１】
眼圧の測定を行う際に、被検者は顎受け１１２上に顎を乗せ、かつベース１００に固定されている顔受けフレーム（不図示）の額受け部分に額を押し当てることで被検眼の位置を固定させることができる。顎受け１１２は、被検者の顔のサイズに応じて、顎受けモータ１１３によりＹ軸方向に調整可能である。
【手続補正２】
【補正対象書類名】明細書
【補正対象項目名】００３３
【補正方法】変更
【補正の内容】
【００３３】
Ｘ軸駆動モータ１０３、Ｙ軸駆動モータ１０４、Ｚ軸駆動モータ１０８、顎受けモータ１１３は、モータ駆動回路３１２を介して、システム制御部３０１からの指令により駆動される。測定用光源３７、外眼照明光源３０ａ、３０ｂ、固視用光源３８は、光源駆動回路３１１を介して、システム制御部３０１からの指令により点灯，消灯，光量変更を制御する。
【手続補正３】
【補正対象書類名】明細書
【補正対象項目名】００３７
【補正方法】変更
【補正の内容】
【００３７】
さらに図５に示される期間Ａ１は、圧力信号および角膜変形信号の検出開始から角膜変形信号の最大値である角膜変形信号ピークＰ１までの期間を表し、図４（Ａ）から図４（Ｂ）の状態変化に対応している。また同様に、図５の期間Ｂ１は、ソレノイド４２の駆動電流を停止した状態であり、図４（Ｂ）から図４（Ｃ）の状態変化に対応している。また、図５のソレノイド制御信号は、Ｔ０からＴ１はソレノイドの通電期間を表している。本実施例１では、ソレノイドの通電期間と上記期間Ａ１は一致している。
【手続補正４】
【補正対象書類名】明細書
【補正対象項目名】００４９
【補正方法】変更
【補正の内容】
【００４９】
被検眼の眼圧値が検出スイッチ４７で設定した最大眼圧値より低い場合、システム制御部３０１は図６（Ａ）の位置からスタートしたピストン４０が図６（Ｃ）で示されたシリンダ４３の終端に達する前に角膜変形信号ピークＰ１を検出する（図７）。
角膜変形信号ピークＰ１が得られると、システム制御部３０１はソレノイド４２の駆動電流を停止し、同時に取り込んだ図５の○印で示される圧力信号値から被検眼Ｅの眼圧値を算出する。
【手続補正５】
【補正対象書類名】明細書
【補正対象項目名】００５０
【補正方法】変更
【補正の内容】
【００５０】
図６（Ｂ）は、角膜変形信号ピークＰ１が得られた瞬間のピストン位置を表している。ここでピストン４０は、従来制御で説明したように、ソレノイド４２の駆動電流を停止した後も慣性力によりシリンダ４３の終端である図６（Ｃ）の位置まで動き続ける。
しかし、ピストン４０の動作開始位置が従来制御よりも前方に変更されているため、図６（Ｂ）から図６（Ｃ）までの距離は、従来制御時に比べ短くなっている。そのため、図６（Ｂ）に図示された斜線部の残留空気量も従来制御に対して十分少ない事が分かる。また、図６（Ｂ）から図６（Ｃ）に対応した図７で示された時間Ｂ２、すなわちピストン４０が慣性力により移動している時間も、従来制御による移動時間である時間Ｂ１に対しより短くなっている。
【手続補正６】
【補正対象書類名】明細書
【補正対象項目名】００６５
【補正方法】変更
【補正の内容】
【００６５】
さらに説明を続ける。バネ４０ｃは空気圧縮部４０ａと駆動部４０ｂが一定の距離Ｌに保たれる様に配置されている。また空気圧縮部４０ａ駆動部４０ｂの両部品は、図示しないガイド部材によりガイドされているため、バネ４０ｃの付勢軸方向のみ可動することが出来る構造となっている。
バネ４０ｃの付勢力により駆動部４０ｂと空気圧縮部４０ａが一定距離Ｌに保たれている状態では、図９（ｂ）中の点線矢印で図示したように、空気圧縮部４０ａの中心に開いた穴からピストン後方へ気体通路が確保されている。自然状態では、ピストンの空気圧縮部４０ａと駆動部４０ｂは、バネ４０ｃの付勢力により離れており気体通路も確保されている。
【手続補正７】
【補正対象書類名】明細書
【補正対象項目名】００６９
【補正方法】変更
【補正の内容】
【００６９】
図１０は本実施例のソレノイド制御時のピストンの位置とその状態を表している。図１０（Ａ）は、ピストンの初期位置を示している。
この状態から、ソレノイドに通電を開始すると駆動部４０ｂにソレノイドの力Ｆがかかりピストンが加速していく。ここで図１１はバネ力とソレノイドの加速度による空気圧縮部４０ａにかかる力関係を示している。横軸が時間ｔ、縦軸は力ｆを表している。空気圧縮部４０ａの質量をｍとし、加速度αの力で駆動部４０ｂが押されると、ピストン内の摩擦や慣性の法則により空気圧縮部４０ａはバネ４０ｃを押し縮める方向にｍ×αの力が働く。バネ力ｋ×（Ｌ−Ｌ１）に対し、ソレノイドによる力ｍ×αは十分に大きいため、駆動部４０ｂと空気圧縮部４０ａの両部品間の距離Ｌ１が徐々に縮まる。２部品間の距離が縮まり、「ｍ×α＝ｋ×Ｌ」すなわちＬ１＝０となった瞬間に図１０（ｂ）で図示されたように気体通路は閉塞される。その瞬間の時間をＴ２として、さらに説明を続ける。
【手続補正８】
【補正対象書類名】特許請求の範囲
【補正対象項目名】全文
【補正方法】変更
【補正の内容】
【特許請求の範囲】
【請求項１】
シリンダ内に配置されて動作開始位置より動作するピストンによりシリンダ内の空気を圧縮し、圧縮した前記空気を前記シリンダ内から被検眼の角膜に向けて吹き付けて前記角膜を変形する角膜変形手段と、前記ピストンの動作を制御するピストン制御手段と、前記角膜の変形の状態を検知して前記被検眼の眼圧を測定する眼圧測定手段と、を有する非接触眼圧計において、前記ピストンが前記シリンダ内にて前記空気を圧縮する際の初期容積を変更可能なピストン容積変更手段を有することを特徴とする非接触眼圧計。
【請求項２】
前記ピストン容積変更手段は、前記ピストンの前記動作開始位置を変更することを特徴とする請求項１に記載の非接触眼圧計。
【請求項３】
前記ピストンの位置を検出するピストン位置検出手段を有し、前記ピストン制御手段は前記ピストン位置検出手段の検出結果に基づく前記ピストンの前記動作開始位置への移動および前記動作開始位置での保持を行うことを特徴とする請求項１又は２に記載の非接触眼圧計。
【請求項４】
前記ピストンはソレノイドにより動作され、前記ピストン制御手段は該ソレノイドの駆動電流の可変制御とＯＮ／ＯＦＦ制御により前記ピストンを制御することを特徴とする請求項３に記載の非接触眼圧計。
【請求項５】
前記ピストン容積変更手段は、前記眼圧測定手段により測定された前記被検眼の眼圧に応じて前記初期容積を変更することを特徴とする請求項１乃至４の何れか一項に記載の非接触眼圧計。
【請求項６】
前記ピストン容積変更手段は、前記眼圧測定手段により測定された前記被検眼の眼圧が所定の値以上の場合に前記初期容積を大きくすることを特徴とする請求項５記載の非接触眼圧計。
【請求項７】
前記ピストン容積変更手段は、前記眼圧測定手段により測定された前記被検眼の眼圧に所定の値を加算した眼圧に応じて前記初期容積を変更することを特徴とする請求項５記載の非接触眼圧計。
【請求項８】
前記眼圧測定手段による測定毎に前記眼圧測定手段により測定された前記被検眼の眼圧が前記所定の値以上か否かを判断する判断手段を有することを特徴とする請求項６記載の非接触眼圧計。
【請求項９】
前記ピストン容積変更手段は、前記眼圧測定手段により測定された前記被検眼の眼圧が所定の値以下の場合に前記初期容積を小さくすることを特徴とする請求項５記載の非接触眼圧計。
【請求項１０】
前記ピストンは、前記シリンダ内の気体を圧縮する側から前記シリンダの外部に至る気体通路と、前記気体通路の開閉を行う駆動弁と、前記ピストンの移動速度が所定速度以上となることに応じて前記駆動弁を動作させて前記気体通路を閉鎖する駆動弁動作手段と、を有することを特徴とする請求項１に記載の非接触眼圧計。
【請求項１１】
前記駆動弁動作手段は、前記気体通路が開放される方向に前記駆動弁に付勢力を付与する付勢手段を有し、
前記付勢手段は、前記ピストンに前記空気の圧縮を行なわせるために前記ピストンに加わる力が前記付勢力以上になると前記気体通路を閉塞状態として前記ピストンによるシリンダ内の前記空気の圧縮が開始されることを特徴とする請求項１０に記載の非接触眼圧計。